(57)【要約】【課題】  発信者が、発信側端末装置から電子機器を着脱自在な着信側端末装置に対して発信した時点における、着信側端末装置の端末能力を把握することのできる端末情報管理装置、端末装置、電子機器装着端末情報通知システム、及び、電子機器装着端末情報通知方法を提供する。【解決手段】  端末情報管理装置３０は、加入者交換機２０より、ＵＩＭが装着されている着信側端末１０のＩＭＥＩとＵＩＭを識別するための電話番号とを受信した場合に、電話番号と、ＩＭＥＩと、当該ＩＭＥＩから判定した端末機種とを対応付けて端末情報管理ＤＢ３０１に記憶する。また、端末情報管理装置３０は、発信側端末１１より着信側端末１０への着信要求を受信したときに、着信要求に含まれる電話番号に対応付けられて端末情報管理ＤＢ３０１に記憶されている端末機種に基づいて、着信側端末１０の端末能力情報を返信する。【選択図】  図１
2005159435.tif 000002
【特許請求の範囲】
【請求項１】
通信サービス加入者情報を管理する電子機器が装着されている端末装置に関する情報を管理する端末情報管理装置において、
前記電子機器を識別するための電子機器識別情報と、該電子機器が装着されている端末装置の端末能力を識別するための端末識別情報とを受信した場合に、該電子機器識別情報と該端末識別情報とを対応付けて記憶する端末情報記憶手段と、
発信側端末装置より、前記電子機器が装着されている着信側端末装置への着信要求を受信したときに、該電子機器を識別するための電子機器識別情報に対応付けられて前記端末情報記憶手段に記憶されている端末識別情報に基づいて、前記着信側端末装置の端末能力に関する情報を返信する端末情報返信手段と
を備えることを特徴とする端末情報管理装置。
【請求項２】
前記端末情報返信手段は、
前記着信要求に含まれる、前記発信側端末装置が前記着信側端末装置に対して要求する端末能力を表す要求端末能力情報と、前記電子機器識別情報に対応付けられて前記端末情報記憶手段に記憶されている端末識別情報とに応じて、前記着信側端末装置の端末能力に関する情報を生成し返信することを特徴とする請求項１に記載の端末情報管理装置。
【請求項３】
前記端末情報返信手段は、
前記要求端末能力情報と前記端末識別情報とに基づいて、前記着信側端末装置が、前記発信側端末装置により要求された端末能力を備えていないと判定された場合にのみ、前記着信側端末装置の端末能力に関する情報を返信することを特徴とする請求項２に記載の端末情報管理装置。
【請求項４】
通信サービス加入者情報を管理する電子機器を着脱自在な端末装置において、
前記電子機器が装着されている状態の時に、該電子機器を識別するための電子機器識別情報と、自装置の端末能力を識別するための端末識別情報とを外部装置に送信する端末情報送信手段
を備えることを特徴とする端末装置。
【請求項５】
発信側端末装置から、通信サービス加入者情報を管理する電子機器を着脱自在な着信側端末装置への着信要求を受信した場合に、前記発信側端末装置に前記着信側端末装置に関する情報を通知する電子機器装着端末情報通知システムにおいて、
前記着信側端末装置に前記電子機器が装着されている状態の時に、該電子機器を識別するための電子機器識別情報と、該着信側端末装置の端末能力を識別するための端末識別情報とを含んだ端末情報を受信した場合に、該端末情報を記憶する端末情報記憶手段と、
前記発信側端末装置より、前記電子機器が装着されている着信側端末装置への着信要求を受信したときに、該電子機器の電子機器識別情報に対応付けられて前記端末情報記憶手段に記憶されている端末識別情報に基づいて、前記着信側端末装置の端末能力に関する情報を返信する端末情報返信手段と
を備えることを特徴とする電子機器装着端末情報通知システム。
【請求項６】
端末情報管理装置が、発信側端末装置から通信サービス加入者情報を管理する電子機器を着脱自在な着信側端末装置への着信要求を受信した場合に、前記発信側端末装置に前記着信側端末装置に関する情報を通知する電子機器装着端末情報通知方法において、
前記発信側端末装置が、前記電子機器が装着されている着信側端末装置への着信要求を送信する着信要求送信ステップと、
前記端末情報管理装置が、前記着信要求送信ステップにおいて着信要求を受信した場合に、前記電子機器を識別するための電子機器識別情報に対応付けられて管理されている前記着信側端末装置の端末識別情報に基づいて、前記着信側端末装置の端末能力に関する情報を返信する端末情報返信ステップと
を有することを特徴とする電子機器装着端末情報通知方法。
【発明の詳細な説明】
【技術分野】
【０００１】
本発明は、発信側端末装置に着信側の電子機器が装着された端末装置に関する情報を送信することを可能とする端末情報管理装置、端末装置、電子機器装着端末情報通知システム、及び、電子機器装着端末情報通知方法に関する。
【背景技術】
【０００２】
従来の通信ネットワークにおいては、端末装置の機能、伝送能力や属性（以下「端末能力」という）が一致するもの同士において通信を行うことが前提となっていたため、発信側端末装置と着信側端末装置との端末能力が一致しない場合には通信は成立せずに呼損となっていた。このように呼損となるのを防ぐために、発信側端末装置の端末能力を着信側端末装置が備えていない場合であっても、通信に対応し得る能力を有する端末装置まで、着信側端末装置のユーザを誘導する仕組みが考えられている（例えば、特許文献１参照）。
【０００３】
一方、近年においては、ＵＩＭ（User Identity Module）を着脱自在な端末装置が普及している。ＵＩＭとは、通信サービスに加入している加入者を識別するための電子機器であり、例えば、ＩＣカードのハードウェア構成を備えている。ＵＩＭを所有するユーザは、端末装置にＵＩＭを抜き差しすることにより、同一の加入契約に基づいて様々な機種の端末装置を利用することが可能となる。このため、ＵＩＭを利用する場合には、ひとつの電話番号（加入者情報）に対応する端末装置の端末能力は変動し、特許文献１のように固定とはならない。従って、発信側端末装置よりＵＩＭが装着された端末装置（以下「ＵＩＭ装着端末」という）に対して音声発信した場合には、その時点でのＵＩＭ装着端末の端末能力によって、音声着信可能な場合と不可能な場合とが発生してしまう。
【０００４】
従来の移動通信ネットワークにおいては、ＵＩＭ装着端末に関する情報を管理する手段は存在しなかった。このため、移動通信ネットワークにおいて、ＵＩＭ装着端末への着信要求を受信した場合には、ＵＩＭ装着端末の契約内容や在圏位置等により着信処理を行い、一斉呼び出しをかけてそれに応答しなかった場合には通信不可能であると判断しすぐに切断している。
【特許文献１】特開２０００−１３４６４号公報（段落００３３〜００４０）
【発明の開示】
【発明が解決しようとする課題】
【０００５】
以上のことから、着信側のＵＩＭ装着端末の端末能力によって着信ができない場合でも、発信者はそれを知ることができないという欠点があった。例えば、発信側端末装置が、ＵＩＭを装着したデータ通信専用端末を利用中の着信者に対して音声発信した場合、発信者側端末装置にはビジートーンが流れるだけであり、発信者は、着信者が通話中である場合との違いが判断できなかった。このために、発信者は着信者の通話が終了した時期を見計らって、何度も着信側端末装置にリダイヤルを行う可能性があった。このことは、発信者にとっては不要な手間がかかることになり、かつ、通信ネットワークにとっては無駄な負荷が発生することになる。
本発明は上記欠点に鑑みてなされたものであり、その目的は、発信者が、発信側端末装置から電子機器を着脱自在な着信側端末装置に対して発信した時点における、着信側端末装置の端末能力を把握することのできる端末情報管理装置、端末装置、電子機器装着端末情報通知システム、及び、電子機器装着端末情報通知方法を提供することである。
【課題を解決するための手段】
【０００６】
上記課題を解決するために、請求項１に記載の発明は、通信サービス加入者情報を管理する電子機器が装着されている端末装置に関する情報を管理する端末情報管理装置において、前記電子機器を識別するための電子機器識別情報と、該電子機器が装着されている端末装置の端末能力を識別するための端末識別情報とを受信した場合に、該電子機器識別情報と該端末識別情報とを対応付けて記憶する端末情報記憶手段と、発信側端末装置より、前記電子機器が装着されている着信側端末装置への着信要求を受信したときに、該電子機器を識別するための電子機器識別情報に対応付けられて前記端末情報記憶手段に記憶されている端末識別情報に基づいて、前記着信側端末装置の端末能力に関する情報を返信する端末情報返信手段とを備えることを特徴とする端末情報管理装置を提供する。
【０００７】
請求項１に記載の発明によれば、端末情報管理装置は、電子機器が装着されている着信側端末装置への着信要求を受信したときに、発信側端末装置に着信側端末装置の端末能力に関する情報を返信するため、発信者は、着信側端末装置が発信側端末装置により要求された端末能力を備えているか否かを把握することができる。このため、着信側端末装置が発信側端末装置により要求された端末能力を備えていない場合に、発信者は無駄な操作を行うことがなくなる。例えば、着信側端末装置が音声通信不可能な端末装置の場合に、発信者は無駄なリダイヤル等の操作を行うことがなくなり、ネットワーク負荷を軽減することができる。
【０００８】
請求項２に記載の発明は、請求項１に記載の端末情報管理装置において、前記端末情報返信手段は、前記着信要求に含まれる、前記発信側端末装置が前記着信側端末装置に対して要求する端末能力を表す要求端末能力情報と、前記電子機器識別情報に対応付けられて前記端末情報記憶手段に記憶されている端末識別情報とに応じて、前記着信側端末装置の端末能力に関する情報を生成し返信することを特徴とする。
【０００９】
請求項２に記載の発明によれば、端末情報管理装置は、発信側端末装置が着信側端末装置に対して要求する要求端末能力情報と、着信側端末装置の端末能力を識別するための端末識別情報とに応じて、着信側端末装置の端末能力に関する情報を生成するために、発信側端末装置に通知すべき適切な情報を生成することができる。
請求項３に記載の発明は、請求項２に記載の端末情報管理装置において、前記端末情報返信手段は、前記要求端末能力情報と前記端末識別情報とに基づいて、前記着信側端末装置が、前記発信側端末装置により要求された端末能力を備えていないと判定された場合にのみ、前記着信側端末装置の端末能力に関する情報を返信することを特徴とする。
【００１０】
請求項３に記載の発明によれば、端末情報管理装置は、着信側端末装置が発信側端末装置により要求された端末能力を備えていないと判定された場合にのみ、着信側端末装置の端末能力に関する情報を返信するため、着信側端末装置が発信側端末装置により要求された端末能力を備えている場合には、発信者は、不要な通知に煩わされることなく通常通りに通信を行うことができる。そして、着信側端末装置が発信側端末装置により要求された端末能力を備えていない場合にのみ、発信者は適切な通知を受けることができる。
【００１１】
例えば、着信者が音声通信不可能な着信側端末装置に電子機器を装着して利用している時に、発信側端末装置が着信側端末装置に音声発信を行った場合に、端末情報管理装置は、着信者が音声通信不可能な端末装置を利用中であることを音声ガイダンスで発信側端末装置に通知する。これにより、発信者は、着信者が通話中でなく音声通信不可能な端末装置を利用していることを判断できるため、着信者の通話が終了したことを期待してリダイヤルを多発することがなくなる。また、無駄なネットワーク負荷を軽減することができる。
【００１２】
また、着信者がＴＶ電話不可能な着信側端末装置に電子機器を装着して利用している時に、発信側端末装置が着信側端末装置に対してＴＶ電話を要求する発信を行った場合に、端末情報管理装置は、着信者がＴＶ電話不可能な端末装置を利用中である旨の音声ガイダンスを発信側端末装置に送信するか、若しくは、ディスプレイ出力用のメッセージを発信側端末装置に送信する。これにより、発信者は、着信者がＴＶ電話不可能な端末装置を利用中であることを把握することができ、それに応じた対応をとることができる。
【００１３】
請求項４に記載の発明は、通信サービス加入者情報を管理する電子機器を着脱自在な端末装置において、前記電子機器が装着されている状態の時に、該電子機器を識別するための電子機器識別情報と、自装置の端末能力を識別するための端末識別情報とを外部装置に送信する端末情報送信手段を備えることを特徴とする端末装置を提供する。
請求項４に記載の発明によれば、端末装置は、電子機器が装着されている状態の時に、該電子機器を識別するための電子機器識別情報と、自装置の端末能力を識別するための端末識別情報とを外部装置に送信するため、外部装置において、電子機器が装着されている端末装置の端末能力を管理することができる。
【００１４】
請求項５に記載の発明は、発信側端末装置から、通信サービス加入者情報を管理する電子機器を着脱自在な着信側端末装置への着信要求を受信した場合に、前記発信側端末装置に前記着信側端末装置に関する情報を通知する電子機器装着端末情報通知システムにおいて、前記着信側端末装置に前記電子機器が装着されている状態の時に、該電子機器を識別するための電子機器識別情報と、該着信側端末装置の端末能力を識別するための端末識別情報とを含んだ端末情報を受信した場合に、該端末情報を記憶する端末情報記憶手段と、前記発信側端末装置より、前記電子機器が装着されている着信側端末装置への着信要求を受信したときに、該電子機器の電子機器識別情報に対応付けられて前記端末情報記憶手段に記憶されている端末識別情報に基づいて、前記着信側端末装置の端末能力に関する情報を返信する端末情報返信手段とを備えることを特徴とする電子機器装着端末情報通知システムを提供する。
【００１５】
請求項５に記載の発明によれば、電子機器装着端末情報通知システムは、発信側端末装置から着信側端末装置への着信要求を受信した場合に、発信側端末装置に着信側端末装置の端末能力に関する情報を返信するため、発信者は着信側端末装置の端末能力を把握することができる。このため、発信者は、例えば、音声通信不可能な着信側端末装置に対して無駄なリダイヤルの操作を行うことが無くなり、着信側端末装置の端末能力に応じた適切な対応を取ることができるようになる。また、無駄なネットワーク負荷を軽減することができる。
【００１６】
請求項６に記載の発明は、端末情報管理装置が、発信側端末装置から通信サービス加入者情報を管理する電子機器を着脱自在な着信側端末装置への着信要求を受信した場合に、前記発信側端末装置に前記着信側端末装置に関する情報を通知する電子機器装着端末情報通知方法において、前記発信側端末装置が、前記電子機器が装着されている着信側端末装置への着信要求を送信する着信要求送信ステップと、前記端末情報管理装置が、前記着信要求送信ステップにおいて着信要求を受信した場合に、前記電子機器を識別するための電子機器識別情報に対応付けられて管理されている前記着信側端末装置の端末識別情報に基づいて、前記着信側端末装置の端末能力に関する情報を返信する端末情報返信ステップとを有することを特徴とする電子機器装着端末情報通知方法を提供する。
【００１７】
請求項６に記載の電子機器装着端末情報通知方法によれば、端末情報管理装置は、発信側端末装置から、電子機器が装着されている着信側端末装置への着信要求を受信すると、電子機器を識別するための電子機器識別情報に対応付けられて管理されている前記着信側端末装置の端末識別情報に基づいて、着信側端末装置の端末能力に関する情報を返信するため、発信者は、着信側端末装置の端末能力を把握することができる。このため、発信者は、例えば、音声通信不可能な着信側端末装置に対して無駄なリダイヤルの操作を行うことが無くなり、着信側端末装置の端末能力に応じた適切な対応を取ることができるようになる。また、無駄なネットワーク負荷を軽減することができる。
【発明の効果】
【００１８】
本発明によれば、端末情報管理装置は、発信側端末装置から、電子機器が装着されている着信側端末装置への着信要求を受信したときに、着信側端末装置の端末能力に関する情報を返信するため、発信者は、着信側端末装置が発信側端末装置により要求された端末能力を備えているか否かを認識することができる。このため、着信側端末装置が発信側端末装置により要求された端末能力を備えていない場合に、発信者が、例えば、無駄なリダイヤル等の操作を行うことがなくなり、ネットワーク負荷を軽減することができる。
【００１９】
また、端末情報管理装置は、発信側端末装置が要求する要求端末能力情報と、着信側端末装置の端末能力を識別するための端末識別情報とに応じて、着信側端末装置の端末能力に関する情報を生成するために、発信側端末装置に通知すべき適切な情報を生成することができる。
また、端末情報管理装置は、着信側端末装置が発信側端末装置により要求された端末能力を備えていない場合にのみ、発信側端末装置に着信側端末装置の端末能力に関する情報を送信するために、発信者は、要求した通信を行うことができない場合にのみ適切な通知を受けることができる。
【発明を実施するための最良の形態】
【００２０】
次に、図面を参照しながら、本発明を実施するための最良の形態について説明する。なお、以下の説明において参照する各図においては、他の図と同等部分に同一符号が付されている。
［１．構成］
［１．１．全体構成］
図１は、本発明の実施形態に係るＵＩＭ装着端末情報通知システム１全体の構成を示すブロック図である。このＵＩＭ装着端末情報通知システム１は、ＩＭＴ−２０００（International Mobile Telecommunication 2000）に準拠した通信ネットワークである。同図に示すように、ＵＩＭ装着端末情報通知システム１は、ＵＩＭが装着された端末装置である着信側端末１０と、着信側端末１０に発信を行う発信側端末１１と、加入者情報の管理や発着信制御を行う加入者交換機２０と、着信処理や他網との接続制御を行う関門交換機２１と、ＵＩＭが装着された端末装置に関する情報を管理・通知する端末情報管理装置３０と、加入者情報や、端末装置の位置情報を管理するホームメモリ局３１と、無線通信を制御する図示せぬ無線基地局とを備えている。
【００２１】
ここで、着信側端末１０は、ＵＩＭを装着して無線通信を行うことが可能な端末装置であればよい。例えば、着信側端末１０は、パーソナルコンピュータに装着されたカード型データ通信専用機であってもよいし、音声通信のみ可能な携帯電話機であってもよいし、ＴＶ電話を行うことが可能な携帯電話機であってもよい。なお、以下では、説明の便宜上、ＵＩＭを着脱自在な端末装置を「着信側端末１０」として説明することとする。
また、発信側端末１１は、着信側端末１０宛てに発信が可能な端末装置であればよいが、ここでは、一般的な携帯電話機であるものとして説明する。
なお、図１においては、各々の装置を１つずつしか図示していないが、実際には複数存在する。
【００２２】
［１．２．端末情報管理装置］
次に、端末情報管理装置３０の構成について説明する。端末情報管理装置３０は、一般的なサーバのハードウェア構成を備えている。すなわち、端末情報管理装置３０は、プログラムを実行し端末情報管理装置３０全体を制御するＣＰＵ（Central Processing Unit）、ＲＯＭ（Read Only Memory）とＲＡＭ（Random Access Memory）とハードディスクとを含む記憶部、及び、通信網を介してデータの授受を制御する通信インターフェースを備えており、これらはバスで接続されている。
【００２３】
端末情報管理装置３０の記憶部には、ＵＩＭ装着端末の端末情報を管理するための端末情報管理データベース（以下、「端末情報管理ＤＢ」という）３０１が設けられている。端末情報管理ＤＢ３０１は、ＵＩＭを識別するための情報と、当該ＵＩＭが装着されている端末装置の端末能力を識別するための情報とを対応付けて管理するためのデータベースである。図２には、端末情報管理ＤＢ３０１のデータ構成の一例を示す。同図に示すように、端末情報管理ＤＢ３０１は、「電話番号」と「ＩＭＥＩ（International Mobile Equipment Identity；端末機体番号）」と「端末機種」とを含んで構成される。ここでは、「電話番号」がＵＩＭを識別するための情報に該当し、「端末機種」がＵＩＭ装着端末の端末能力を識別するための情報に該当する。また、ＩＭＥＩとは、移動通信端末を一意に識別するための機体番号であり、当該ＩＭＥＩには製造事業者コードやシリアル番号が含まれている。
【００２４】
端末情報管理ＤＢ３０１の「電話番号」と「ＩＭＥＩ」とには、例えば、着信側端末１０のアタッチ手順時に、加入者交換機２０より送信されたデータが記憶される。ここで、アタッチ手順とは、ＵＩＭ装着端末の着信可否を管理するための手順である。アタッチ手順においては、まず、ＵＩＭ装着端末に電源が投入されて着信可能状態となると、ＵＩＭ装着端末は自端末が在圏する加入者交換機２０にアタッチ要求を送信する。加入者交換機２０は、ホームメモリ局３１にＵＩＭ装着端末と自機２０との位置管理のための情報を送信する一方、ホームメモリ局３１よりＵＩＭ装着端末の加入者情報をダウンロードして管理する。
【００２５】
また、端末情報管理ＤＢ３０１の「端末機種」には、加入者交換機２０より受信したＩＭＥＩから判断された端末機種が記憶される。ここでは、「端末機種」は、３ビットのデータで構成される。「端末機種」の１ビット目が“１”を表している場合には、“音声通信専用機種”を表し、２ビット目が“１”を表している場合には“ＴＶ電話機種”を表し、３ビット目が“１”を表している場合には“データ通信専用機種”を表している。例えば、図２に示すNo.1の端末情報は、電話番号“090-1111-1111”で識別されるＵＩＭが装着されている端末装置がデータ通信専用機種であることを表している。
【００２６】
また、端末情報管理装置３０の記憶部には、各種プログラムが記憶されている。例えば、端末情報管理装置３０の記憶部には、ＩＭＥＩに基づいて端末機種を判定し、当該判定された端末機種を端末情報管理ＤＢ３０１に記憶するための端末機種判定プログラムが記憶されている。
また、端末情報管理装置３０の記憶部には、端末情報管理ＤＢ３０１の「端末機種」から端末能力を判定するための端末能力判定プログラムが記憶されている。端末情報管理装置３０のＣＰＵは、この端末能力判定プログラムを実行することにより、「端末機種」の１ビット目が“１”を表している場合には、端末能力は“音声通信のみ可能”と判定し、２ビット目が“１”を表している場合には、端末能力は“ＴＶ電話可能“と判定し、３ビット目が“１”を表している場合には、端末能力は“データ通信のみ可能”と判定する。
【００２７】
また、端末情報管理装置３０の記憶部には、本発明に特徴的なプログラムとして、着信側端末１０より受信した端末情報を管理したり、発信側端末１１に着信側端末１０の端末能力情報を送信するためのプログラムが記憶されている。これらのプログラムを端末情報管理装置３０のＣＰＵが記憶部より読み出して実行することにより、図３に示す機能部が端末情報管理装置３０に実現される。同図に示すように、端末情報管理装置３０は、端末情報記憶部３０２と、端末情報返信部３０３とを備えている。
【００２８】
端末情報記憶部３０２は、着信側端末１０のアタッチ時に、着信側端末１０に装着されているＵＩＭを識別するための識別情報（電話番号）と、着信側端末１０の端末能力を識別するための端末識別情報（ＩＭＥＩ）とを含んだ端末情報を加入者交換機２０より受信した場合に、当該端末情報と、ＩＭＥＩから判別された端末機種とを、端末情報管理ＤＢ３０１に記憶する。
端末情報返信部３０３は、発信側端末１１より、関門交換機２１及びホームメモリ局３１経由で、ＵＩＭが装着されている着信側端末１０の端末情報問合せを受信した場合に、当該ＵＩＭの識別情報（電話番号）に対応付けられて、端末情報管理ＤＢ３０１に記憶されている端末識別情報（端末機種）に基づいて、着信側端末１０の端末能力を判定し、当該判定された端末能力情報を返信する。
【００２９】
［１．３．着信側端末（ＵＩＭ装着端末）］
次に、着信側端末１０の構成について説明する。着信側端末１０は、ＣＰＵと、揮発性メモリや不揮発性メモリを含む記憶部と、ＵＩＭとのデータの授受を制御するインターフェースと、無線通信を制御する無線通信部とを備えている。
着信側端末１０の記憶部には、ＩＭＥＩが、例えば工場出荷時に書き込まれている。
着信側端末１０に装着されるＵＩＭは、通信サービスの加入者情報が記憶された電子機器である。ＵＩＭは、ＣＰＵと、揮発性メモリや不揮発性メモリを含む記憶部と、着信側端末１０とのデータの授受を制御する通信インターフェースとを備えている。ユーザは、自己の所有するひとつのＵＩＭを複数の着信側端末１０に着脱することで、ＵＩＭで識別される加入契約に基づいて、複数の着信側端末１０を利用することが可能となる。なお、ＵＩＭに記憶されている加入者情報には、加入者識別番号（ＩＭＵＩ；International Mobile User Identifier）や電話番号等の個人情報が含まれる。また、これらの情報の他、電話帳の情報、発着信履歴情報、課金情報等が含まれる場合もある。
【００３０】
また、着信側端末１０の記憶部には、加入者交換機２０経由で端末情報管理装置３０に自端末１０の端末情報を送信するためのプログラムが記憶されている。着信側端末１０のＣＰＵがこのプログラムを実行することにより、図４に示す端末情報送信部１０１が着信側端末１０に実現される。
端末情報送信部１０１は、着信側端末１０にＵＩＭが装着されている状態の時に、当該ＵＩＭを識別するための情報と、着信側端末１０の端末能力を識別するための情報とを、加入者交換機２０経由で端末情報管理装置３０に送信する。
【００３１】
具体的には、まず、端末情報送信部１０１は、ＵＩＭが着信側端末１０に装着されて電源が投入されたことを検知すると、ＵＩＭより加入者識別番号を読み出して、当該加入者識別番号を含んだアタッチ要求を加入者交換機２０に送信する。加入者交換機２０は、アタッチ要求を受信すると、着信側端末１０に対してＩＭＥＩ問合せを行う。着信側端末１０の端末情報送信部１０１は、ＩＭＥＩ問合せを受信すると、記憶部に記憶されているＩＭＥＩを読み出して加入者交換機２０に送信する。加入者交換機２０は、ＩＭＥＩの通知を受けると、当該ＩＭＥＩと、加入者識別番号に対応する電話番号とを、端末情報管理装置３０に通知する。
【００３２】
なお、端末情報を送信するタイミングとしては、アタッチ時の他に、着信側端末１０がアタッチ状態にある時に、着信側端末１０から自発的に所定時間間隔で端末情報を送信するようにしてもよい。また、ＵＩＭが着信側端末１０より抜かれたり、着信側端末１０の電源が切られた場合には、アタッチ手順とは逆のデタッチ手順が行われて、端末情報管理装置３０の端末情報管理ＤＢ３０１より着信側端末１０の端末情報が削除されることとなる。
【００３３】
［１．４．発信側端末］
次に、発信側端末１１について説明する。発信側端末１１は一般的な携帯電話機であり、ＣＰＵと、不揮発性メモリと揮発性メモリとを備えた記憶部と、入力信号をＣＰＵに与える操作ボタンと、各種画面を表示するディスプレイと、音声ガイダンスを出力するスピーカとを備えている。
発信側端末１１は、着信側端末１０に発信する際には、着信側端末１０の電話番号とベアラ種別とを含んだ着信要求を、在圏の加入者交換機２０経由で関門交換機２１に送信する。
【００３４】
ここで、ベアラ種別とは、発信側端末１１が着信側端末１０に対して要求する端末能力を表す情報である。ここでは、例えば、ベアラ種別が“speech”の場合には、発信側端末１１が着信側端末１０に対して音声通信を要求していることを表している。発信者が、音声通話のみ可能な発信側端末１１より発信した場合には、当該発信信号に含まれるベアラ種別は“speech”となる。また、発信側端末１１がＴＶ電話の機能を備えた携帯電話機である場合に、発信者が音声通信機能を選択して発信した場合にも、発信信号に含まれるベアラ種別は“speech”となる。
【００３５】
また、ベアラ種別が“AV”の場合には、発信側端末１１が着信側端末１０に対してＴＶ電話による通信を要求していることを表している。発信側端末１１がＴＶ電話の機能を備えた携帯電話機である場合に、発信者がＴＶ電話機能を選択して発信を行った場合には、発信信号に含まれるベアラ種別は“AV”となる。
【００３６】
［１．５．その他（ホームメモリ局、加入者交換機、関門交換機）］
ホームメモリ局３１は、通信サービスの加入者情報や、端末装置の位置情報を管理する装置であり、一般的なコンピュータのハードウェア構成を備えている。ホームメモリ局３１は、着信側端末１０が在圏する加入者交換機２０よりアタッチ要求を受信した場合に、着信側端末１０の加入者識別番号や電話番号を含んだ加入者情報を加入者交換機２０に送信すると共に、着信側端末１０と加入者交換機２０との情報を位置情報として管理する。
また、ホームメモリ局３１の記憶部には、本発明に特徴的なプログラムが記憶されており、ホームメモリ局３１のＣＰＵが当該プログラムを実行することにより、関門交換機２１より着信情報要求を受信したときに、端末情報管理装置３０に対して着信側端末１０の端末情報を問い合わせる機能が、ホームメモリ局３１に実現される。
【００３７】
次に、加入者交換機２０について説明する。加入者交換機２０は、在圏の端末装置の加入者情報を管理したり発着信制御を行う装置であり、一般的なコンピュータのハードウェア構成を備えている。加入者交換機２０は、着信側端末１０からのアタッチ要求を受信すると、ホームメモリ局３１より着信側端末１０の加入者情報をダウンロードして管理する。また、加入者交換機２０の記憶部には、本発明に特徴的なプログラムが記憶されており、加入者交換機２０のＣＰＵが当該プログラムを実行することにより、着信側端末１０からのアタッチ要求時にＩＭＥＩ問合せを送信する機能と、ＩＭＥＩ問合せに対する応答を受信した後に、受信したＩＭＥＩとＵＩＭの加入者識別番号に対応する電話番号とを端末情報管理装置３０に送信する機能とが、加入者交換機２０に実現される。
【００３８】
次に、関門交換機２１について説明する。関門交換機２１は、他網との接続を制御する装置であり、一般的なコンピュータのハードウェア構成を備えている。関門交換機２１は、発信側端末１１より着信側端末１０への着信要求を受信したときに、ホームメモリ局３１に着信情報要求を行うことにより、着信側端末１０の在圏する加入者交換機２０を問い合わせる。
【００３９】
また、関門交換機２１の記憶部には、本発明に特徴的なプログラムとして、ホームメモリ局３１より着信側端末１０の端末能力情報を受信するためのプログラムや、音声ガイダンス（以下、単に「ガイダンス」という）を生成して発信側端末１１に送信するためのプログラムが記憶されている。関門交換機２１のＣＰＵがこれらのプログラムを実行することにより、図５に示す端末情報ガイダンス返信部２１１が、関門交換機２１に実現される。端末情報ガイダンス返信部２１１は、ホームメモリ局３１より着信側端末１０の端末能力情報を受信したときに、当該受信した端末能力情報と、発信側端末１１より受信した着信要求に含まれるベアラ種別とに応じて、発信側端末１１に通知すべきガイダンスを生成する。
【００４０】
ここでは、端末情報ガイダンス返信部２１１は、着信側端末１０が、発信側端末１１により要求されたベアラ種別で表される端末能力を備えていないと判定された場合にのみ、着信者が発信者の要求する端末能力を備えていない端末装置を利用中である旨のガイダンスを生成して、発信側端末１１に通知する。
例えば、発信側端末１１が要求するベアラ種別が“speech”であり、着信側端末１０の端末能力が“データ通信のみ可”であった場合には、端末情報ガイダンス返信部２１１は、着信者が音声通信不可能な端末装置を利用中である旨のガイダンスを生成する。
また、発信側端末１１が要求するベアラ種別が“AV”であり、着信側端末１０の端末能力が“データ通信のみ可”や“音声通信のみ可”であった場合には、端末情報ガイダンス返信部２１１は、着信者がＴＶ電話不可能な端末装置を利用中である旨のガイダンスを生成するか、若しくは、発信側端末１１のディスプレイに表示するためのテキストデータを生成する。
【００４１】
［２．動作］
次に、上記構成における動作について説明する。
前提として、着信側端末１０のユーザは、加入者識別番号“AAA”が記憶されたＵＩＭを所持しているものとする。また、ホームメモリ局３１は、ＵＩＭの加入者識別番号“AAA”と電話番号“090-1111-1111”とを含んだ加入者情報を管理しているものとする。また、ここでの着信側端末１０は、パーソナルコンピュータに挿入されたカード型データ通信専用機であるものとする。また、カード型データ通信専用機の記憶部に記憶されているＩＭＥＩは“12345”であるものとする。また、ここでの発信側端末１１は、音声通信のみ可能な携帯電話機であるものとする。
【００４２】
［２．１．ＵＩＭ装着端末情報管理］
まず、図６を参照しながら、ＵＩＭ装着端末情報管理の動作を説明する。
まず、ユーザは、ＵＩＭが装着されていない状態の着信側端末１０に、ＵＩＭを装着して電源を入れる。これにより、着信側端末１０の端末情報送信部１０１は、自端末１０が着信可能になったことを通知するために、加入者識別番号“AAA”を含んだアタッチ要求を送信する（プロセスＰ１）。
アタッチ要求を受信した加入者交換機２０は、従来のアタッチ手順を実行する。具体的には、加入者交換機２０は、ホームメモリ局３１に対して、着信側端末１０の加入者情報要求を送信する。ホームメモリ局３１は、着信側端末１０と加入者交換機２０の情報を記憶すると共に、着信側端末１０の加入者識別番号“AAA”と電話番号“090-1111-1111”とを含んだ加入者情報を返信する。加入者交換機２０は、ホームメモリ局３１より受信した加入者情報を、自機２０の記憶部に記憶する。
【００４３】
次に、加入者交換機２０は、着信側端末１０に対してＩＭＥＩ問合せを行う（プロセスＰ２）。
着信側端末１０がＩＭＥＩ問合せを受信すると、端末情報送信部１０１は記憶部に記憶されているＩＭＥＩ“12345”を加入者交換機２０に送信する。
加入者交換機２０はＩＭＥＩ“12345”を受信すると、記憶部に記憶されている加入者情報の中から、着信側端末１０より受信した加入者識別番号“AAA”に対応する電話番号“090-1111-1111”を取得する。加入者交換機２０は、取得した電話番号090-1111-1111”とＩＭＥＩ“12345”とを含んだ端末情報を、端末情報管理装置３０に転送する（プロセスＰ３）。
【００４４】
端末情報管理装置３０は、加入者交換機２０から着信側端末１０の端末情報を受信する。端末情報管理装置３０は、端末機種判定プログラムを実行することにより、受信した着信側端末１０のＩＭＥＩ“12345”に対応する端末機種が“001”であると判断する。そして、端末情報管理装置３０の端末情報記憶部３０２は、着信側端末１０の電話番号“090-1111-1111”とＩＭＥＩ“12345”と端末機種“001”とを、端末情報管理ＤＢ３０１に記憶する。これにより、図２に示すNo.1の端末情報が端末情報管理ＤＢ３０１に記憶されることとなる。
【００４５】
このように、着信側端末１０のアタッチ時に、加入者交換機２０が、着信側端末１０に対するＩＭＥＩ問合せにより取得したＩＭＥＩを、端末情報管理装置３０に転送し、端末情報管理装置３０がＩＭＥＩを元に端末機種を判断することにより、ＵＩＭが装着されている端末装置の端末機種とＵＩＭの電話番号とを対応付けて管理することができる。
また、従来のアタッチ手順を利用することにより、ユーザが利用したい端末装置にＵＩＭを装着して電源を入れるだけで、加入者交換機２０が端末装置から取得した端末情報を端末情報管理装置３０へ転送し、端末情報管理装置３０が端末情報を記憶し管理することが可能となる。［２．２．ＵＩＭ装着端末情報通知］
次に、図７を参照しながら、ＵＩＭ装着端末情報通知の動作を説明する。
【００４６】
前提として、端末情報管理ＤＢ３０１には、図２に示すデータ内容の端末情報が記憶されているものとする。
まず、発信側端末１１のユーザは、発信側端末１１の操作ボタンを操作して、着信側端末１０の電話番号“090-1111-1111”を入力し、音声発信の指示を行う。
これにより、発信側端末１１は、電話番号“090-1111-1111”とベアラ種別“speech”とを含んだ発信要求を、発信側端末１１が在圏する加入者交換機２０に送信する。そして、加入者交換機２０から関門交換機２１に、電話番号“090-1111-1111”とベアラ種別“speech”とを含んだ着信要求が到達する（プロセスＰ４）。関門交換機２１は、ホームメモリ局３１へ電話番号“090-1111-1111”を含んだ着信情報要求を送信する（プロセスＰ５）。
【００４７】
ここまでは従来の技術であるが、本発明においては、関門交換機２１から着信側端末１０の着信情報要求を受信したホームメモリ局３１が、端末情報管理装置３０へ着信側端末１０の電話番号“090-1111-1111”を通知することにより、着信側端末１０の端末情報を問い合わせる（プロセスＰ６）。
端末情報管理装置３０は、ホームメモリ局３１より受信した電話番号“090-1111-1111”を元に、端末情報管理ＤＢ３０１で管理されている端末情報を検索する。
【００４８】
ここで、端末情報管理ＤＢ３０１に、受信した電話番号と一致する電話番号が記憶されていない場合には、端末情報管理装置３０はその旨をホームメモリ局３１経由で関門交換機２１に通知する。関門交換機２１は、当該通知を受信すると、従来と同様の着信処理を行い、発信側端末１１と着信側端末１０との通信を接続することとなる。
ここでは、図２に示すように、端末情報No.1の電話番号“090-1111-1111”が、ホームメモリ局３１より受信した電話番号“090-1111-1111”と一致しているため、端末情報管理装置３０は、端末情報管理ＤＢ３０１より端末情報No.1の端末機種“001”を取得する。端末情報管理装置３０は、端末能力判定プログラムを実行することにより、取得した着信側端末１０の端末機種“001”から、端末能力“データ通信のみ可能”を判断する。端末情報管理装置３０の端末情報返信部３０３は、当該端末能力を表す端末能力情報を、ホームメモリ局３１へ送信する。
【００４９】
ホームメモリ局３１は端末能力情報を受信すると、当該受信した端末能力情報を関門交換機２１に転送する（プロセスＰ７）。
関門交換機２１の端末情報ガイダンス返信部２１１は、ホームメモリ局３１から受信した着信側端末１０の端末能力と、発信側端末１１が要求するベアラ種別とに基づいて、ガイダンスを生成する。ここでは、端末情報ガイダンス返信部２１１は、着信側端末１０の端末能力“データ通信のみ可能”と、プロセスＰ４において受信した、発信側端末１１の着信要求に含まれるベアラ種別“speech”とを元に、着信側端末１０はデータ通信を行う端末能力を備えているが発信側端末１１から要求された音声通信の端末能力を備えていないと判定する。そして、端末情報ガイダンス返信部２１１は、着信者が音声通信不可能な端末装置を利用中であることを通知するためのガイダンスを生成し、当該ガイダンスを発信側端末１１に送信する。
【００５０】
発信側端末１１は、受信したガイダンスをスピーカより出力する。発信側端末１１のユーザは、当該ガイダンスを聞いて、着信者が音声通信不可能な端末装置を利用中であるという理由のために、着信側端末１０と音声通信が不可能であることを認識する。
このように、発信者が発信側端末１１を操作して発信指示を行い、該当する着信側端末１０への着信処理が行われる際に、ホームメモリ局３１が端末情報管理装置３０から取得した端末能力情報を関門交換機２１に転送することにより、関門交換機２１が発信側端末１１に対して着信側端末１０の端末能力に関するガイダンスを送信することができる。このため、発信者は、着信者が音声通話不可能な端末装置を利用中なのか、或いは、通話中なのかを判断することができる。このため、着信者が音声通話不可能な端末装置を利用中である場合に、発信者が何度もリダイヤルしてしまうことを防ぐことができ、無駄なネットワーク負荷を軽減することができる。
【００５１】
以上のように、着信者がＵＩＭの差し替えにより、発信者が要求したベアラで着信できない端末装置を利用していた場合、着信者のＵＩＭ装着端末の能力により着信できないという理由を発信者に通知することが可能となる。
また、端末装置の端末能力を識別するための情報としてＩＭＥＩを用いたため、ＩＭＥＩが記憶されている既存の端末装置と、端末装置に対するＩＭＥＩ問合せという既存の機能とを用いて、端末情報管理装置３０で端末情報を管理することができる。
【００５２】
［３．変形例］
以上、本発明の実施形態について説明したが、本発明は係る実施形態に限定されるものではなく、その技術思想の範囲内で様々な変形が可能である。変形例としては、例えば、以下のようなものが考えられる。
（１）上述した実施形態においては、ＵＩＭ装着端末情報通知システム１が備える端末情報管理装置３０、関門交換機２１、ホームメモリ局３１、及び、加入者交換機２０各々に、本発明に係る各種機能が分散配置されているとして説明したが、各装置の機能分担は一例に過ぎない。
【００５３】
例えば、［２．１．ＵＩＭ装着端末情報管理］において、着信側端末１０が自装置１０の端末情報を端末情報管理装置３０に送信する際に、加入者交換機２０を介して送信するようにしたが、着信側端末１０が直接、端末情報管理装置３０に端末情報を送信するようにしてもよい。また、端末情報管理装置３０と加入者交換機２０とが備える機能を、ひとつの装置が備えるようにしてもよい。
【００５４】
また、［２．２．ＵＩＭ装着端末情報通知］において、発信側端末１１に着信側端末１０の端末能力に関するガイダンスを送信する際には、端末情報管理装置３０の端末情報返信部３０３が、端末情報管理ＤＢ３０１に記憶されている「端末機種」から判定された端末能力情報を、ホームメモリ局３１経由で関門交換機２１に送信し、関門交換機２１の端末情報ガイダンス返信部２１１が端末能力情報に基づいてガイダンスを生成するとして説明したが、このような端末情報管理装置３０とホームメモリ局３１と関門交換機２１との機能分担は一例に過ぎない。例えば、端末情報管理装置３０とホームメモリ局３１と関門交換機２１との機能が一つの装置で実現されるようにしてもよいし、端末情報管理装置３０やホームメモリ局３１がガイダンスを生成してもよい。また、端末情報管理装置３０はガイダンスを生成せずに、受信した端末能力情報を発信側端末１１のディスプレイに表示できる形式に変換して発信側端末１１に送信するようにしてもよい。
【００５５】
（２）上述した実施形態における端末情報管理ＤＢ３０１のデータ構成は一例に過ぎず、端末情報管理ＤＢ３０１には、ＵＩＭを識別するための情報と、ＵＩＭ装着端末の端末能力を識別するための情報とが対応付けられて記憶されていればよい。例えば、端末情報管理ＤＢ３０１の、ＵＩＭを識別するための「電話番号」は、加入者識別番号であっても構わない。また、端末情報管理ＤＢ３０１には、「ＩＭＥＩ」と「端末機種」との両方が記憶されているとして説明したが、「ＩＭＥＩ」と「端末機種」との何れか一方により端末能力を判定することができるため、何れか一方のみが記憶されていてもよいし、「ＩＭＥＩ」や「端末機種」の代わりに端末能力を表す記号や文字が記憶されていてもよい。また、上述した「端末機種」のデータ構成は３ビットに限定されず、当該「端末機種」より端末能力を識別することができればどのような形式でもよい。
【００５６】
（３）上述した実施形態においては、ＵＩＭを識別するための情報は、着信側端末１０より送信される際には「加入者識別番号（ＩＭＵＩ）」であったのが、加入者交換機２０から端末情報管理装置３０に送信され端末情報管理ＤＢ３０１に登録される際には「電話番号」に変換され、また、着信側端末１０の端末能力を識別するための情報は、着信側端末１０から送信される際には「ＩＭＥＩ」であったのが、端末情報管理装置３０の端末情報管理ＤＢ３０１に登録される際には「端末機種」に変換されるようにしたが、これは一例に過ぎない。着信側端末１０から送信されるＵＩＭを識別するための情報（加入者識別番号）と着信側端末１０の端末能力を識別するための情報（ＩＭＥＩ）とを特に変換することなく、端末情報管理装置３０においても、加入者識別番号とＩＭＥＩとが管理されるようにしてもよい。
【００５７】
また、上述した実施形態において、端末能力を識別するための情報としてＩＭＥＩを用いたのは、端末装置に記憶されている既存の情報や、ＩＭＥＩ問合せという既存の機能を利用するためであるが、これに限定されず、ＩＭＥＩＳＶを用いてもよいし、また、着信側端末１０に直接端末能力を表す情報を記憶させておいて、当該情報を端末能力を識別するための情報として用いるようにしてもよい。
【００５８】
（４）上述した実施形態においては、関門交換機２１の端末情報ガイダンス返信部２１１は、着信側端末１０が発信側端末１１に要求されたベアラ種別で表される端末能力を備えていない場合にのみ、ガイダンスを生成して発信側端末１１に通知するようにしたが、これに限定されず、常に何らかのガイダンスを生成して発信側端末１１に通知するようにしてもよい。
【００５９】
また、上述した実施形態においては、関門交換機２１の端末情報ガイダンス返信部２１１は、発信側端末１１が要求するベアラ種別に応じてガイダンスを生成するようにしたが、例えば、発信側端末１１の端末能力に応じてガイダンスを生成するようにしてもよい。この場合に、関門交換機２１が、発信側端末１１の端末能力情報を取得する方法としては、発信側端末１１がＵＩＭ装着端末の場合には、端末情報管理装置３０より端末能力情報を取得することができる。
【００６０】
発信側端末１１の端末能力に応じてガイダンスを生成する場合には、例えば、発信側端末１１の端末能力が“ＴＶ電話可能”であり、かつ、発信側端末１１が要求するベアラ種別が“speech”であり、かつ、着信側端末１０の端末能力が“ＴＶ電話可能”であった場合には、関門交換機２１の端末情報ガイダンス返信部２１１は、発信側端末１１に対して「音声通信以外にＴＶ電話もできます」というガイダンスを送信することができる。
【００６１】
（５）上述した実施形態においては、発信側端末１１は携帯電話機であるとして説明したが、固定電話であってもよい。この場合には、固定電話から発信される発信信号のデータ構成は、携帯電話機より発信される発信信号のデータ構成と異なる。このため、関門交換機２１が固定電話より着信要求を受信した際に、当該着信要求に含まれる情報に基づいて、固定電話が着信側端末１０にどのような端末能力を要求しているのかを判定できるようにするためのプログラムを、関門交換機２１に記憶しておく必要がある。
（６）上述した実施形態においては、発信側端末１１が要求するベアラ種別が音声通信やＴＶ電話である場合について説明したが、電子メール等のデータ通信にも適用することが可能である。
【産業上の利用可能性】
【００６２】
本発明は、着信側端末装置の端末能力が変動する場合に、着信側端末装置や発信側端末装置の端末能力や、発信側端末装置が着信側端末装置に要求する端末能力に応じて、適切なガイダンスを発信側端末装置に送信することにより、端末能力の異なる複数の端末装置を利用して、快適に利便性の高い通信を行う分野に利用することができる。
【図面の簡単な説明】
【００６３】
【図１】本発明の実施の形態に係るＵＩＭ装着端末情報通知システムの構成を示すブロック図である。
【図２】同実施の形態に係る端末情報管理ＤＢのデータ構成を示す図である。
【図３】同実施の形態に係る端末情報管理装置の機能ブロック図である。
【図４】同実施の形態に係る着信側端末の機能ブロック図である。
【図５】同実施の形態に係る関門交換機の機能ブロック図である。
【図６】同実施の形態に係るＵＩＭ装着端末情報管理の動作を説明するための図である。
【図７】同実施の形態に係るＵＩＭ装着端末情報通知の動作を説明するための図である。
【符号の説明】
【００６４】
１      ＵＩＭ装着端末情報通知システム
１０    着信側端末
１０１  端末情報送信部
１１    発信側端末
２０    加入者交換機
２１    関門交換機
２１１  端末情報ガイダンス返信部
３０    端末情報管理装置
３０１  端末情報管理ＤＢ
３０２  端末情報記憶部
３０３  端末情報返信部
３１    ホームメモリ局
【図１】
2005159435.tif 000003
【図２】
2005159435.tif 000004
【図３】
2005159435.tif 000005
【図４】
2005159435.tif 000006
【図５】
2005159435.tif 000007
【図６】
2005159435.tif 000008
【図７】
2005159435.tif 000009